(57)【要約】  【課題】  不使用形態での携行にはコンパクトになりながらも、使用時には自立することのできる買い物バッグを提供する。  【解決手段】  全体を折畳み変形可能に構成した薄いシート状素材で形成した買い物バッグである。周囲にバネ性を有する線材(２)を収容し、該線材(２)間にシート素材(１)を張架した楕円形の側面部材(３)と、バネ性を有する環状の線材(２)を周縁材(４)で包被することにより開口部(５)を形成した上面部材(６)とを有し、３枚の側面部材(３)と１枚の上面部材(６)とを楕円の短径側での周縁部分で相対揺動可能に連結するとともに、前記側面部材(３)と上面部材(６)との長径側部分に形成される部分に前記シート素材(１)と同素材の膜体(７)を張設することで、上面に開口部(５)を有する買い物バッグ本体(Ｂ)を形成し、シート状素材(３)を張架してなる側面部材(３)で構成されている前・後面及び底面にわたって提手用帯布(10)を架着した。【選択図】    図１
2008237421.tif 000002
【特許請求の範囲】
【請求項１】
全体を折畳み変形可能に構成した薄いシート状素材(１)で形成した買い物バッグであって、
周囲にバネ性を有する線材(２)を収容し、該線材間にシート素材(１)を張架した楕円形の側面部材(３)と、バネ性を有する環状の線材(２)を周縁材(４)で包被することにより開口部(５)を形成した上面部材(６)とを有し、３枚の側面部材(３)と１枚の上面部材(６)とを楕円の短径側での周縁部分で相対揺動可能に連結するとともに、前記側面部材(３)と上面部材(６)との長径側部分に形成される部分に前記シート素材(１)と同素材(１)の膜体(７)を張設することで、上面に開口部(５)を有する買い物バッグ本体(Ｂ)を形成し、シート状素材(１)を張架してなる側面部材(３)で構成されている前・後面及び底面にわたって提手用帯布(10)を架着したことを特徴とする携帯用買い物バッグ。
【請求項２】
上面部材(６)の周縁材(４)部分に筒状のネット材(８)を連結し、この筒状ネット材(８)の遊端部分に絞り紐(９)を配置してある請求項１に記載した携帯用買い物バッグ。
【請求項３】
上面部材(６)と側面部材(３)との一方の連結部から折畳んだ買い物バッグを収容するポケット(11)を連出した請求項１または２に記載した携帯用買い物バッグ。
【請求項４】
シート状素材(１)が防水性を有する素材(１)で形成されている請求項１〜３のいずれか１項に記載した携帯用買い物バッグ。
【発明の詳細な説明】
【技術分野】
【０００１】
本発明は、スーパーマーケットやコンビニエンスストアなどで、精算した品物を収容して持ち帰る買い物バッグに関し、特に非使用時には折畳んで携行できる携帯式の買い物バッグに関する。
【背景技術】
【０００２】
従来、スーパーマーケットその他の店舗においては、購入した商品を収容するために、レジ袋といわれている合成樹脂製袋が提供され、店舗の従業者あるいは顧客がその提供されたレジ袋に精算済の商品を収容し、この商品を収容したレジ袋を顧客が持ち帰ることが一般的であった。
【０００３】
近年、資源の節約や、廃棄物の減少などの観点から、レジ袋の無料提供が自粛・抑制される傾向にある。そこで、顧客がスーパーマーケットその他の店舗内で買い物に利用されているレジカゴ内に収容・展開できる買い物袋が提案されている。
これらの買い物袋としては、従来例えば、バッグの中央円周部にバッグ拡張作用を果たすエンドレスあるいは非エンドレスのピアノ線を縫着し、レジカゴ内で展開・収容することのできる折畳み可能な買い物バッグ(特許文献１)や、バッグの円周縁部に非エンドレスのピアノ線を縫着し、レジカゴ内で展開・収容することのできる折畳み可能な買い物バッグ(特許文献２)が提案されている。
【特許文献１】実用新案登録第３０７２９３８号公報
【特許文献２】特開２００２−１４２８３１号公報
【発明の開示】
【発明が解決しようとする課題】
【０００４】
前記した従来の折畳み可能な買い物バッグは、いずれも、不使用形態での携行に便利なようにコンパクトに折畳み収納できるものでありながら、レジカゴにセットした状態では、商品投入口となる部分が大きく開口している状態を維持できるように、バッグの中央円周部にバッグ拡張作用を果たすピアノ線等の弾性線材を配置している。このため、バッグ自体が自立できないことから、精算カウンターや移替えカウンターで、別途空のレジカゴを用意し、その空のレジカゴに該買い物袋を展開保持させなければならなかった。
【０００５】
本発明は、このような点に着目して提案されたもので、不使用形態での携行にはコンパクトになりながらも、使用時には自立することのできる買い物バッグを提供することを目的とする。
【課題を解決するための手段】
【０００６】
上述の目的を達成するために、請求項１に記載した本発明は、全体を折畳み変形可能に構成した薄いシート状素材で形成した買い物バッグであって、周囲にバネ性を有する線材を収容し、該線材間にシート素材を張架した楕円形の側面部材と、バネ性を有する環状の線材を周縁材で包被することにより開口部を形成した上面部材とを有し、３枚の側面部材と１枚の上面部材とを楕円の短径側での周縁部分で相対揺動可能に連結するとともに、前記側面部材と上面部材との長径側部分に形成される部分に前記シート素材と同素材の膜体を張設することで、上面に開口部を有する買い物バッグ本体を形成し、シート状素材を張架してなる側面部材で構成されている前・後面及び底面にわたって提手用帯布を架着したことを特徴としている。
【０００７】
また、請求項２に記載した本発明は、請求項１に記載した発明での構成に加えて、上面部材の周縁材部分に筒状のネット材を連結し、この筒状ネット材の遊端部分に絞り紐を配置したことを特徴としている。
【０００８】
さらに、請求項３に記載した本発明は、請求項１または２に記載した発明の構成に加えて、上面部材と側面部材との一方の連結部から折畳んだ買い物バッグを収容するポケットを連出したことを特徴とし、請求項４に記載した本発明は、請求項１または３のいずれか１項に記載した発明の構成に加えて、シート状素材が防水性を有する素材で形成したことを特徴としている。
【発明の効果】
【０００９】
本発明では、上下面だけでなくその上下面を繋ぐ前後面に周囲にバネ性を有する線材を収容し、該線材間にシート素材を張架した楕円形の側面部材を使用していることから、買い物バッグ本体が自立性を有することになるから、精算カウンターや移替えカウンターで精算済みの商品をレジカゴから持参の買い物バッグに移す際に、別のレジカゴを用意しなくてもよくなる。
【００１０】
さらに、バネ性を有する線材を周縁に配置して前後上下の４面を基本形状楕円形に形成し、この４面で形成されている部分は周囲を囲う骨枠のない状態となることから、楕円形をなしている４面を重ねあわせて、ひねることにより、３つの輪が重なり合う状態に折畳まれて収容することができ、コンパクトな状態にして携行することができる。
【００１１】
また、シート状素材を張架してなる側面部材で構成されている前・後面及び底面にわたって提手用帯布を架着してあるので、バッグを使用時に内部に重量物を収容しても、その重量を提手用帯布で負担することができるから、バッグの使用時での変形を可及的に抑制することができる。
【００１２】
また、請求項２に記載した発明のように、上面部材の周縁材部分に筒状のネット材を連結し、この筒状ネット材の遊端部分に絞り紐を配置した場合には、内部に精算済み商品を収容した後に、この筒状のネット材を引き出して、遊端部(口部)を絞り紐で絞ることで、収容物の上面を覆うことができるので、上面部材が形成している開口部よりも上方まで収容したとしても、内部収容物の落下を防止することができる。
【００１３】
さらに、請求項３に記載した発明のように、上面部材と側面部材との一方の連結部から折畳んだ買い物バッグを収容するポケットを連出した場合には、折畳み状態で携行する際の収容袋を展開使用時にもバッグ本体と常に一体としておくことができる。
【発明を実施するための最良の形態】
【００１４】
図は、本発明の一実施形態を示し、図１は買い物バッグの展開状態での斜視図である。
この買い物バッグは、略楕円形状に形成したシート素材(１)の周縁部分にバネ弾性を有する線材(２)を配置して、シート素材(１)が張架された楕円形状をなす側面部材(３)と、バネ弾性を有する線材(２)を周縁材(４)で包被することにより略全面開口状の開口部(５)を形成した上面部材(６)とを有しており、この上面部材(６)と３枚の側面部材(３)とを側面部材(３)の短径側周縁部分でそれぞれ相対揺動可能に連結させるとともに、４枚の面部材(６)(３ａ)(３ｂ)(３ｃ)の長径側端面側に形成される個所に前記シート素材(１)と同素材の膜体(７)を張設することで上面に開口部を有する買い物バッグ本体(Ｂ)を形成している。そして、上面部材(６)と３枚の側面部材(３)とを側面部材(３)の短径側周縁部分で連結することにより上面部材(６)も楕円形を形成することになる。
【００１５】
この買い物バッグ本体(Ｂ)では、上面部材(６)の周縁材(４)にメッシュ素材で形成した筒状ネット材(８)を連結してある。そして、この筒状ネット材(８)の連出先端部分(遊端部分)に締め紐(９)が挿通配置してあり、この締め紐(９)で筒状ネット材(８)の遊端部分を絞ることで、図２に示すように買い物バッグ本体(Ｂ)の上面開口部(５)を覆うようにしてある。
【００１６】
また、この買い物バッグ本体(Ｂ)には、１本の帯紐で環状に形成した提手用帯布(10)を３枚の側面部材(３ａ)(３ｂ)(３ｃ)の外面部分に所定の間隔を隔てて縫合架着するとともに、縦壁面を構成している２枚の側面部材(３ａ)(３ｃ)の内の前面側に位置する側面部材(３ａ)と上面部材(６)との結合部分に折畳んだ買い物バッグを収容する収納ポケット(11)が釣り下がる状態で連結してある。
【００１７】
前面を形成する前面部材(３ａ)、底面を形成する底面部材(３ｂ)、後面を構成する後面部材(３ｃ)及び上面部材(６)の周縁部分に配置したバネ弾性を有する線材(２)としては、例えばピアノ線やＳＫ材製線材、あるいは合成樹脂線材等を使用することができる。また、各側面部材(３ａ)(３ｂ)(３ｃ)や４枚の面部材(６)(３ａ)(３ｂ)(３ｃ)の長径側端面側に形成される個所に張設するシート素材(１)や膜体(７)としては、ナイロン繊維などの化学繊維製布や天然繊維製の布を用いることができるが、より好ましくは防水加工を施した布を使用する。
【００１８】
なお、上記の実施形態では、側面部材(３)の長径及び短径の寸法は、自転車における前カゴの底面における幅と奥行き寸法にあわせて形成してあり、展開した状態で自転車の前カゴにスッポリ収まるようになっている。
【００１９】
上記の構成からなる買い物バッグでは、その不使用時には、以下に述べる手順で折畳まれ、コンパクトに収納される。
すなわち、筒状ネット材(８)の遊端部に装着した締め紐(９)を緩めて、筒状ネット材(８)がバッグ本体(Ｂ)内に垂れ下がった状態(図１)で、収納ポケット(11)が配置されていない後面部材(３ｃ)と上面部材(６)との接続部分が底面部材(３ｂ)と前面部材(３ａ)との接続部分に重なる姿勢に折畳む(図３)。この結果、後面部材(３ｃ)と底面部材(３ｂ)、上面部材(６)と前面部材(３ａ)とがそれぞれ重なり合った状態になる。
【００２０】
次に、重なりあった状態にある上面部材(６)と前面部材(３ａ)とを、重なり合っている後面部材(３ｃ)と底面部材(３ｂ)の上側にさらに重ねる。これにより、４つの面部材が４層に積層されて１枚の板状となる(図４)。
【００２１】
この４枚が重なった状態の面部材を、その長手方向で両端より部分を持って、ひねることにより(図５)、３つの円が３段に重なった状態で平坦に折畳まれ(図６)、収納ポケット(11)に収容される(図７)。
【００２２】
前記したように本発明の買い物バッグは、不使用時には、コンパクトに折畳まれており、携行が容易であるが、展開して使用する際には、前後側面及び上下側面を構成する４枚の面部材(３ａ)(３ｂ)(３ｃ)(６)がその周縁に配置したバネ弾性を有する線材(２)で連結されていることから、そのバネ弾性を有する線材(２)の復元力で、容易に展開することができる。そして、展開した状態では、バネ弾性を有する線材(２)が枠体として作用することになるから、自立性・保形性を有し、レジカゴからの精算済み商品を容易に移し替えることができるうえ、自動車の床や椅子の上に載置しても、しっかりと自立・保形できる。
【００２３】
また、略前面開口状に形成されている上面部材の周縁部から筒状ネット材(８)を連出してあることから、中に品物を入れた際に、上面覆いとして作用して、内部の収容品がこぼれ落ちるの抑制することができる。さらに、買い物バッグのサイズを自転車の前カゴにスッポリ収納できるサイズに形成することにより、自転車での買い物時にも対応することができ、その際、上面部分を筒状ネット材(８)で覆い、締め紐(９)を締め込むことで、上面開口部を閉じた場合には、いわゆる引ったくり防止具となることから、犯罪被害の予防になる。
【産業上の利用可能性】
【００２４】
本発明は、非使用時には折畳んで携行できる携帯式のバッグとして種々の用途に利用できる。
【図面の簡単な説明】
【００２５】
【図１】買い物バッグの展開状態での斜視図である。
【図２】使用状態を示す斜視図である。
【図３】折畳み手順の第１段階を示す斜視図である。
【図４】折畳み手順の第２段階を示す斜視図である。
【図５】折畳み手順の第３段階を示す斜視図である。
【図６】折畳み手順の第４段階を示す斜視図である。
【図７】折畳み手順の第５段階を示す斜視図である。
【符号の説明】
【００２６】
１…シート素材、２…線材、３…側面部材(３ａ…前側面材、３ｂ…底側面材、３ｃ…後側面材)、４…周縁材、５…開口部、６…上面部材、７…膜体、８…筒状ネット材、９…締め紐、10…提手用帯布、11…収納ポケット、Ｂ…買い物バッグ本体。
【図１】
2008237421.tif 000003
【図２】
2008237421.tif 000004
【図３】
2008237421.tif 000005
【図４】
2008237421.tif 000006
【図５】
2008237421.tif 000007
【図６】
2008237421.tif 000008
【図７】
2008237421.tif 000009